(57)【要約】【課題】すっきりとした外観を得ることができるコーナー部構造及びコーナー部用建築板を提供する。【解決手段】コーナー部構造１は、コーナー部で互いに交差する複数の下地面２１を含む下地２と、複数の下地面２１の各々に取り付けられる一般部用建築板４１と、コーナー部の両側に取り付けられた一対のコーナー部用建築板４２と、を備える。コーナー部用建築板４２は、一般部用建築板４１と同質である。一対のコーナー部用建築板４２は、一方のコーナー部用建築板４２の端面４２２が他方のコーナー部用建築板４２の裏面に対向している。【選択図】図２
2020122352.tif 000002
【特許請求の範囲】
【請求項１】
コーナー部で互いに交差する複数の下地面を含む下地と、
前記複数の下地面の各々に取り付けられる一般部用建築板と、
前記一般部用建築板と同質であり、前記コーナー部の両側に取り付けられた一対のコーナー部用建築板と、
を備え、
前記一対のコーナー部用建築板は、一方のコーナー部用建築板の端面が他方のコーナー部用建築板の裏面に対向している、
コーナー部構造。
【請求項２】
前記一対のコーナー部用建築板を上下方向に複数備え、
前記複数のコーナー部用建築板は、上下方向に沿って一部が重なるように階段状に配置され、
前記一対のコーナー部用建築板は、隣り合う辺が、下方向に行くに従って隅芯から突出するように傾斜している、
請求項１記載のコーナー部構造。
【請求項３】
前記コーナー部と前記一対のコーナー部用建築板との間に配置された断面略Ｌ字状の防水部材を更に備える、
請求項１又は請求項２記載のコーナー部構造。
【請求項４】
請求項２に記載のコーナー部構造に用いられるコーナー部用建築板。
【発明の詳細な説明】
【技術分野】
【０００１】
本発明は、コーナー部構造及びコーナー部用建築板に関する。
【背景技術】
【０００２】
特許文献１には、従来のコーナー部構造が記載されている。特許文献１に記載のコーナー部構造は、出隅構造である。特許文献１に記載の出隅構造は、出隅（コーナー部）を有する壁下地と、出隅の両側において壁下地に取り付けられた複数の壁材（建築板）と、壁材同士の間を覆う出隅部材と、を備える。
【０００３】
壁材は、スレート板で構成されている。出隅部材は、断面略Ｌ字状の金属製部材である。出隅部材の左右方向の一端部には、一方の壁材が差し込まれ、出隅部材の左右方向の他端部には、他方の壁材が差し込まれている。
【先行技術文献】
【特許文献】
【０００４】
【特許文献１】特開２０１９−００２２６７号公報
【発明の概要】
【発明が解決しようとする課題】
【０００５】
ところで、特許文献１に記載のコーナー部構造では、壁材がスレート板であるのに対し、壁材の間の出隅部材が金属製部材である。このため、特許文献１に記載のコーナー部構造では、壁材と出隅部材とが別部材で一体感が無く、すっきりとした外観が得られにくい。
【０００６】
本発明は、上記事情に鑑みてなされ、すっきりとした外観を得ることができるコーナー部構造及びコーナー部用建築板を提供することを目的とする。
【課題を解決するための手段】
【０００７】
本発明に係る一態様のコーナー部構造は、コーナー部で互いに交差する複数の下地面を含む下地と、前記複数の下地面の各々に取り付けられる一般部用建築板と、前記コーナー部の両側に取り付けられた一対のコーナー部用建築板と、を備える。前記コーナー部用建築板は、前記一般部用建築板と同質の建築板である。前記一対のコーナー部用建築板は、一方のコーナー部用建築板の端面が他方のコーナー部用建築板の裏面に対向している。
【０００８】
上記コーナー部構造では、以下の構成を有することが好ましい。一態様のコーナー部構造は、前記一対のコーナー部用建築板を上下方向に複数備える。前記複数のコーナー部用建築板は、上下方向に沿って一部が重なるように階段状に配置される。前記一対のコーナー部用建築板は、隣り合う辺が、下方向に行くに従って隅芯から突出するように傾斜している。
【０００９】
上記コーナー部構造では、以下の構成を有することが好ましい。一態様のコーナー部構造は、前記コーナー部と前記一対のコーナー部用建築板との間に配置された断面略Ｌ字状の防水部材を更に備える。
【００１０】
本発明に係る一態様のコーナー部用建築板は、コーナー部構造に用いられるコーナー部用建築板である。
【発明の効果】
【００１１】
本発明に係る上記態様のコーナー部構造及びコーナー部用建築板は、すっきりとした外観を得ることができる、という利点がある。
【図面の簡単な説明】
【００１２】
【図１】図１は、本発明に係る一実施形態に係るコーナー部構造の斜視図である。
【図２】図２は、同上のコーナー部構造の水平面を断面とする断面図である。
【図３】図３は、同上のコーナー部構造に用いられる建築板の正面図である。
【発明を実施するための形態】
【００１３】
（１）実施形態
（１．１）全体構成
本実施形態に係るコーナー部構造１は、図１に示すように、鎧張りされた複数の建築板４を有する外壁の構造である。コーナー部構造１が適用される建物としては、例えば、木造軸組工法、木造枠組構造、鉄骨造等の家屋が挙げられる。
【００１４】
ここで、本実施形態では、屋内から屋外に向かう水平方向を「屋外方向」と定義し、屋外方向とは反対方向を「屋内方向」として定義する。また、屋外方向及び屋内方向に平行な二方向を、「屋内外方向」として定義する。
【００１５】
本実施形態にいう「鎧張り」とは、下段の建築板４の屋外方向を向く面（屋外側の面）の上端部に対し、その上段の建築板４の屋内方向を向く面の下端部を対向させて、複数の建築板４が上下方向に沿って階段状に配置された建築板４の施工態様を意味する。実際は、コーナー部構造１として、上下方向に３つ以上の建築板４を有する。
【００１６】
本実施形態に係る建築板４は、外壁板である。ただし、本開示に係る建築板４は、外壁板に限らず、例えば、内壁板、間仕切り板、屋根板等であってもよい。
【００１７】
本実施形態に係るコーナー部構造１は、下地２（図２）と、防水部材３（図２）と、複数の建築板４と、を備える。
【００１８】
（１．２）下地
下地２は、複数の建築板４の基礎をなす部分である。下地２は、図２に示すように、コーナー部で互いに交差する複数の下地面２１を有する。本実施形態に係る下地面２１は、互いに略直交している。下地面２１は、下地２の屋内外方向における屋外側の面である。下地２は、柱２２と、透湿防水シート２３と、縦胴縁２４と、下地材２５と、防水紙２６と、を備える。本実施形態に係る下地面２１は、防水紙２６の屋外側の面である。
【００１９】
柱２２は、長手方向が上下方向に略平行な材である。柱２２は、通し柱２２１を含むが、例えば、管柱、間柱等を含んでもよい。透湿防水シート２３は、建築板４と下地２との間の空間（通気層）に入った水が屋内側に入るのを防ぐ。透湿防水シート２３は、水を通さないが、湿気を通す性質を持つシートである。縦胴縁２４は、透湿防水シート２３の屋外側の面に対向し、柱２２の屋外側の面に取り付けられる。縦胴縁２４は、長手方向が上下方向に略平行に形成されている。複数の縦胴縁２４は、水平方向に離れて配置されている。複数の縦胴縁２４には、下地材２５が取り付けられる。
【００２０】
下地材２５には、建築板４が取り付けられる。下地材２５は、本実施形態では面材であり、屋外側の面が鉛直面に沿っている。下地材２５は、本実施形態では構造用合板である。下地材２５の屋外側の面には、防水紙２６が取り付けられている。
【００２１】
（１．３）防水部材
防水部材３は、建築板４と下地２との間に配置される部材である。防水部材３は、断面略Ｌ字状に形成された出隅用捨て水切りである。防水部材３は、長手方向が上下方向に略平行に形成されている。防水部材３は、本体３１と、一対の防水材３２と、を備える。
【００２２】
本体３１は、防水部材３の主体をなす部分である。本体３１は、金属板を曲げ加工することで略Ｌ字状に形成されている。本体３１は、一対の折返し部３１１と、一対の水返し部３１２と、を備える。
【００２３】
折返し部３１１は、本体３１の長手方向に直交する方向（以下、幅方向）の両端部に形成されている。折返し部３１１は、本体３１の幅方向の端部において、折り返して重なっている。折返し部３１１は、本体３１の上下方向の全長にわたって形成されている。
【００２４】
水返し部３１２は、下地面２１に沿う水平方向において、折返し部３１１よりもコーナー部側に位置している。本実施形態に係る水返し部３１２は、本体３１の他の部分から屋外側に突出する突条である。突条の長手方向は、上下方向に略平行である。
【００２５】
防水材３２は、建築板の突付け部分から入った水が、水返し部３１２を越えても、防水材３２から下地２側への浸水を防ぐ。防水材３２は、本実施形態ではエプトシーラー（登録商標）が用いられている。防水材３２は、本体３１と建築板４の裏面との両方に接触して、本体３１と建築板４との間を通った浸水を防ぐ。
【００２６】
防水部材３は、下地２のコーナー部（ここでは出隅）に沿って取り付けられる。より具体的には、防水部材３の内側の入隅が、下地面２１が交差するコーナー部に対向するようにして、防水部材３が配置される。
【００２７】
（１．４）建築板
建築板４は、下地２に取り付けられる。本実施形態に係る建築板４は、平板状のスレート板から形成されており、左右方向に長い略矩形板状に形成されている。ただし、本開示に係る建築板４は、例えば、無垢材や集成材等の木質板、天然スレート板、窯業系サイディング、金属サイディング等であってもよい。
【００２８】
複数の建築板４は、下地面２１において一般部に取り付けられる一般部用建築板４１と、コーナー部の両側に取り付けられるコーナー部用建築板４２と、を備える。一般部用建築板４１と、コーナー部用建築板４２とは、同じ建築板４から形成されている。したがって、本実施形態に係るコーナー部構造１では、一般部用建築板４１とコーナー部用建築板４２とは同質であり、一般部とコーナー部とで、外観上、目立った違いはなく、全体として統一感のある外観が得られる。本開示でいう「同質」とは、同じ材質であることを意味する。したがって、一般部用建築板４１とコーナー部用建築板４２とが同質であるとは、基材が同じ材質であればよく、例えば、塗装の種類や色が異なっていても基材が同じであれば「同質」の範疇である。
【００２９】
一般部用建築板４１は、正面視略矩形状に形成されている。一般部用建築板４１は、図３に示すように、左右方向の両側の辺（短辺）が互いに略平行に形成されている。一般部用建築板４１は、上側の両角部が面取りされている。
【００３０】
一般部用建築板４１は、図１に示すように、上下方向に沿って一部が重なるように階段状に配置されている。本実施形態に係るコーナー部構造１では、上下方向に隣り合う一般部用建築板４１のうち、下段の建築板４の上下方向の中央部よりも上側の部分（非曝露部４３）が、上側の建築板４の上下方向の中央よりも下側の部分で覆われる。下側の建築板４において露出する部分を曝露部４４という。建築板４は、非曝露部４３において、固着具（釘、ビス等）によって下地２に取り付けられている。下側の建築板４の非曝露部４３は、上側の建築板４によって覆われる。
【００３１】
コーナー部用建築板４２は、一般部用建築板４１として用いられる建築板４に対し、左右方向の一方の端部が切断されて形成される。図３に示すように、一点鎖線は隅芯４２１である。隅芯４２１は、下地面２１に取り付けられた状態において、当該下地面２１のコーナー部側の縁（要するにコーナー部）に重なる線を意味する。図３において、破線で示す部分は、コーナー部用建築板４２を建築板４から形成する際に切断する線である。
【００３２】
コーナー部用建築板４２の切断された側の端部（以下、コーナー側端部）の辺は、下方向に行くに従って、隅芯４２１から突出するように（つまり、長さ方向の外側に行くように）、隅芯４２１に対して傾斜している。コーナー側端部の辺の隅芯４２１からの突出寸法Ｌ２は、例えば、１５ｍｍである。隅芯４２１の位置は、例えば、一般用建築板４１の長さ方向の端部のうちのコーナー部側の端からコーナー部までの寸法をもって、コーナー部用建築板４２の端部と隅芯４２１との寸法Ｌ１とし、隅芯４２１の位置を特定する。なお、隅芯４２１は、建築板４に対して罫書き線として入れられてもよいし、なくてもよい。
【００３３】
コーナー部用建築板４２は、図２に示すように、コーナー側端部が突付けられた状態で下地２に取り付けられる。本実施形態では、下地２のコーナー部の両側に配置されたコーナー部用建築板４２は、一方のコーナー部用建築板４２の端面４２２が、他方のコーナー部用建築板４２の裏面に対向している。本実施形態では、一方のコーナー部用建築板４２の端面４２２と他方のコーナー部用建築板４２の裏面とは、少なくとも一部が接触しており、好ましくは、全長にわたって接触している。
【００３４】
本実施形態に係る建築板４は、鎧張りによって下地２に取り付けられているが、上述のように、コーナー部用建築板４２は、コーナー側端部が隅芯４２１に対して傾斜しているため、コーナー部用建築板４２の突付け部分において隙間が生じにくい。本実施形態では、コーナー部の両側に配置されたコーナー部用建築板４２の間には、例えば、シーリング材、接着剤、目地材等の介在物は設けられない。
【００３５】
本実施形態に係るコーナー部構造１では、コーナー部の両側の建築板４のうち、端面４２２が屋外に露出するコーナー部用建築板４２は、図１に示すように、コーナー部に対して全て同じ側に位置している。したがって、本実施形態では、屋外に露出する端面４２２は、上下方向に一直線上に並ぶ。このため、本実施形態に係るコーナー部構造１は、見栄えがよく、屋外に露出する端面４２２に対して、塗料にてタッチアップを行う際に、作業を行いやすいという利点がある。
【００３６】
ただし、本開示では、端面４２２が屋外に露出するコーナー部用建築板４２は、コーナー部に対して、全て同じ側でなくてもよい。例えば、左右方向に隣り合う建築板４の「勝ち負け」を、上下方向に交互にするデザインとしてもよい。
【００３７】
鎧張りによって壁面施工された複数の建築板４のうち、最も上端の建築板４は、次のように施工される。最も上端の建築板４は、軒天井との間の寸法に合わせて切断され、曝露部４４を含む上下方向の下側の部分が下地２に取り付けられる。一般部用建築板４１では、曝露部４４を含む上下方向の下側の部分が用いられるが、コーナー部用建築板４２では、コーナー側端部に沿って（図３における破線に沿って）切断した上で、上下方向の中間部分が切断される。そして、最も上端のコーナー部建築板４２として、曝露部４４を含む上下方向の下側の部分が用いられる。
【００３８】
建築板４のうち、曝露部４４は、非曝露部４３よりも耐候性が高い塗装がなされている。このため、最も上端の建築板４として、曝露部４４を含む部分が用いられることで、外壁面の全面にわたって、耐候性を保つことができる。ここでは、軒天井と壁との取合い部について述べたが、例えば、胴差と壁との取合い部等にも適用可能である。
【００３９】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００４０】
上記実施形態では、コーナー部用建築板４２は、一般部用建築板４１と同一の建築板４に対して、端部を切断した加工を行った建築板４であったが、コーナー部用建築板４２は、未加工の建築板４を用いてもよく、コーナー部用建築板４２と一般部用建築板４１とは同一の建築板４であってもよい。
【００４１】
上記実施形態では、外壁におけるコーナー部構造１であったが、例えば、屋根のコーナー部（例えば、けらば）に適用してもよい。また、上記実施形態に係るコーナー部構造１は、出隅部の構造であったが、入隅部の構造に対しても適用することができる。入隅部に適用する場合のコーナー部用建築板４２では、コーナー側端部の辺が、下方向に行くに従って、長さ方向の内側に行くように、隅芯４２１に対して傾斜している。
【００４２】
上記実施形態に係るコーナー部構造１では、鎧張り施工された建築板４で一壁面を構成したが、建築板４同士が同一平面上に突付けにより施工された一壁面で構成されてもよい。
【００４３】
本開示にて、「略平行」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００４４】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【００４５】
（３）態様
以上説明したように、第１の態様に係るコーナー部構造１は、コーナー部で互いに交差する複数の下地面２１を含む下地２と、複数の下地面２１の各々に取り付けられる一般部用建築板４１と、コーナー部の両側に取り付けられた一対のコーナー部用建築板４２と、を備える。コーナー部用建築板４２は一般部用建築板４１と同質の建築板４である。一対のコーナー部用建築板４２は、一方のコーナー部用建築板４２の端面４２２が他方のコーナー部用建築板４２の裏面に対向している。
【００４６】
この態様によれば、出隅カバー等が必要ないため、コーナー部構造１をすっきりとした外観とすることができる。
【００４７】
第２の態様に係るコーナー部構造１では、第１の態様において、一対のコーナー部用建築板４２を上下方向に複数備える。複数のコーナー部用建築板４２は、上下方向に沿って一部が重なるように階段状に配置される。一対のコーナー部用建築板４２は、隣り合う辺が、下方向に行くに従って隅芯４２１から突出するように傾斜している。
【００４８】
この態様によれば、鎧張り状に施工された建築板４に対しても、コーナー部構造１をすっきりとした外観とすることができる。
【００４９】
第３の態様に係るコーナー部構造１では、第１又は第２の態様において、コーナー部と一対のコーナー部用建築板４２との間に配置された断面略Ｌ字状の防水部材３を更に備える。
【００５０】
この態様によれば、防水性を向上することができる。
【００５１】
第４の態様に係るコーナー部用建築板４２は、第２の態様のコーナー部構造１に用いられる建築板４である。
【００５２】
この態様によれば、鎧張り状に施工されるコーナー部構造１に対して、コーナー部用建築板４２同士を突付ける際に、隙間を小さくすることができる。
【００５３】
第２又は第３の態様に係る構成については、コーナー部構造１に必須の構成ではなく、適宜省略可能である。
【符号の説明】
【００５４】
１        コーナー部構造
２        下地
２１      下地面
３        防水部材
４        建築板
４１      一般部用建築板
４２      コーナー部用建築板
４２１    隅芯
【図１】
2020122352.tif 000003
【図２】
2020122352.tif 000004
【図３】
2020122352.tif 000005